(57)【要約】【課題】  各バーストがプリアンブルとミッドアンブルと呼ばれるフレーム構成シンボルを有するバースト的データフレーム受信システムのＲＦ及びＩＦ増幅ステージのためのゲイン制御方法を提案すること。【解決手段】  各バーストがプリアンブル又はミッドアンブルと呼ばれる特別なフレーム構成シンボルを有するバースト的データフレーム受信システムのＲＦ及びＩＦ増幅ステージのためのゲイン制御方法であって、受信信号の強度を評価するステップに続いて、ゲインリカバリバンドは、前記ＲＦ増幅ステージのゲイン調整ステップが、フレーム構成シンボルを受信するまで、一時的に保留されることを可能にし、その間に、前記ＩＦ増幅ステージのゲイン調整ステップが、前記入力信号の強度に応じて全体ゲインを線形に維持しながら、ＲＦゲインのものと同時に行われることを特徴とする方法。【選択図】  図５
2007181204.tif 000002
【特許請求の範囲】
【請求項１】
各バーストがプリアンブル又はミッドアンブルと呼ばれる特別なフレーム構成シンボルを有するバースト的データフレーム受信システムのＲＦ及びＩＦ増幅ステージのためのゲイン制御方法であって、
受信信号の強度を評価するステップに続いて、ゲインリカバリバンドは、前記ＲＦ増幅ステージのゲイン調整ステップが、フレーム構成シンボルを受信するまで、一時的に保留されることを可能にし、その間に、前記ＩＦ増幅ステージのゲイン調整ステップが、前記入力信号の強度に応じて全体ゲインを線形に維持しながら、ＲＦゲインのものと同時に行われることを特徴とする方法。
【請求項２】
請求項１記載のゲイン制御方法であって、
前記リカバリバンドの幅は、前記ＲＦゲインの調整を可能にする２つの特別なシンボルの間の前記信号の強度の可能なトレンドに対応することを特徴とする方法。
【請求項３】
請求項１記載のゲイン制御方法であって、
前記ＲＦアンプのゲインの変化に続いて、リセット表示が、前記受信システムの復調器のイコライザ要素に送信されることを特徴とする方法。
【請求項４】
各バーストがプリアンブル又はミッドアンブルと呼ばれる特別なフレーム構成シンボルを有するバースト的データフレーム受信システムのアンプのＲＦ及びＩＦゲイン制御装置であって、
当該装置は、ＲＦアンプのＲＦゲインの調整が、フレーム構成表示の受信ま一時的に保留されることを可能にするＲＦ及びＩＦゲインアンプ制御信号を生成する制御要素を有し、ゲインリカバリバンドにおいて、その間に、前記ＩＦゲイン調整ステップが、入力信号の強度に応じて全体ゲインを線形に維持しながら、ＲＦゲインのものとパラレルに行われることを特徴とする装置。
【請求項５】
請求項４記載のゲイン制御装置であって、
前記制御要素は、前記受信システムの復調器が、前記ＲＦゲインの変更に続いてリセットされることを可能にする信号を生成することを特徴とする装置。
【請求項６】
請求項４記載のゲイン制御装置であって、
前記制御要素は、前記２つのＲＦとＩＦアンプの間に配置されるフィルタリング要素によって導入される遅延に従って、前記ＲＦゲインアンプの制御に対して前記ＩＦゲインアンプの制御を一時的に保留する遅延要素を有することを特徴とする装置。
【請求項７】
請求項４記載のゲイン制御装置であって、
前記制御要素は、前記ＲＦゲインの調整が不要になると、前記ＩＦゲインアンプの制御をフィルタリングするための切り替え可能なフィルタを有することを特徴とする装置。
【請求項８】
各バーストが特別なフレーム構成シンボルを有する複数のアンテナを備えたバースト的データフレーム受信システムのＲＦ及びＩＦ増幅ステージのゲイン制御方法であって、
前記ＲＦステージと前記ＩＦステージのゲインを調整するステップを有し、
各アンテナに係る各受信サブシステムの受信信号の強度を評価するステップに続き、ゲインリカバリバンドは、フレーム構成表示の受信まで、各サブシステムのＲＦ増幅ゲインを調整するステップが一時的に保留されることを可能にし、その間に、対応するＩＦゲイン調整ステップが、各サブシステムに対して入力信号の強度に応じて線形に全体ゲインを維持しながら、ＲＦゲインのものと同時に行われることを特徴とする方法。
【請求項９】
請求項８記載のゲイン制御方法であって、
ＲＦゲインの変化を可能にする前記フレーム構成に関する表示は、プリアンブル又はミッドアンブルの存在に対応することを特徴とする方法。
【請求項１０】
請求項９記載のゲイン制御方法であって、
前記受信サブシステムの１つのＲＦゲインは、現在のプリアンブルに対して変更され、その他の受信サブシステムの何れのＲＦゲイン調整も以降のプリアンブル中に行われることを特徴とする方法。
【請求項１１】
各バーストがプリアンブル又はミッドアンブルと呼ばれる特別なフレーム構成シンボルを有する複数のアンテナを備えるバースト的データフレーム受信システムであって、
前記アンテナに係る複数の受信サブシステムを有し、
前記複数の受信サブシステムのＲＦゲインアンプ及びＩＦゲインアンプの制御装置は、ＩＦゲイン調整ステップが入力信号の強度に応じて線形に全体ゲインを維持しながら、ＲＦゲインのものとパラレルに行われるゲインリカバリバンドにおいて、フレーム構成表示が受信されるまで、受信サブシステムのＲＦアンプのゲインの調整が一時的に保留されることを可能にする前記ＲＦ及びＩＦゲインアンプに対する複数の制御信号を生成するシステム。
【請求項１２】
請求項１１記載のデータ受信システムであって、
制御要素が、前記受信サブシステムの１つのＲＦゲインの変更に続いて、当該受信システムの復調器がリセットされることを可能にする信号を生成することを特徴とするシステム。
【請求項１３】
請求項１２記載のデータ受信システムであって、
前記復調器のリセットは、前記受信サブシステムの１つのＲＦゲインの変更に続いて、前記復調器の前記サブシステムのイコライザ要素において行われることを特徴とするシステム。
【請求項１４】
請求項１２記載のデータ受信システムであって、
前記復調器のリセットは、前記ＲＦゲインの変更に続いて、前記復調器の合成又は選択要素において行われることを特徴とするシステム。
【発明の詳細な説明】
【技術分野】
【０００１】
本発明は、高速デジタル無線通信システムにおけるバースト的データフレーム受信システムのためのゲイン制御方法及び装置に関し、特にリモート制御される必要があるモバイルソースと、ソースのコントローラがまた配置される固定された受信機との間の高品位映像（ＨＤＴＶ）リンクのためのゲイン制御方法及び装置に関する。より詳細には、本発明は、映像ストリームを生成するカメラと、オペレータが特定のカメラパラメータに対して遠隔的に定期的に介入することが必要なスタジオとの間の無線映像リンクのケースに適用される。本発明はまた、アンテナダイバーシチを備えた受信システムのためのゲイン制御方法及び装置に関する。
【背景技術】
【０００２】
双方向リンクを実現することは、アップリンク及びダウンリンクアクセスが互いに混乱しないことを保証するため、共有された方法により伝送チャネルにアクセスすることに等しい。
【０００３】
今日、双方向リンクを実現する主要なチャネルアクセス技術は３つある。これらは、ＦＤＭＡ（Ｆｒｅｑｕｅｎｃｙ  Ｄｉｖｉｓｉｏｎ  Ｍｕｌｔｉｐｌｅ  Ａｃｃｅｓｓ）タイプアクセス、ＴＤＭＡ（Ｔｉｍｅ  Ｄｉｖｉｓｉｏｎ  Ｍｕｌｔｉｐｌｅ  Ａｃｃｅｓｓ）タイプアクセス及び最後にＣＤＭＡ（Ｃｏｄｅ  Ｄｉｖｉｓｉｏｎ  Ｍｕｌｔｉｐｌｅ  Ａｃｃｅｓｓ）タイプアクセスである。
【０００４】
ＦＤＭＡタイプアクセスは、本出願に良好に適するものであり、さらに現在のシステムにおいて実現されている。それの原理は、特にシンプルであり、アップリンク及びダウンリンクが異なる周波数チャネルを使用するというものである。ブロードキャストタイプのこれら２つの伝送は連続的なものである。従って、それらは特にロウバストであり。実際、初期化段階が受信機エンドで終了すると、自動的なゲイン制御ロープ及びイコライザが特に安定的であり、これにより良好な受信クオリティを保証する。
【０００５】
しかしながら、伝送されるビットレートに関して強く非対称的なシステムについて、効果的なものとなるために、ＦＤＭＡタイプアクセスは、一方が高ビットレートに適し、他方が低ビットレートに適し、すなわち、より狭い帯域幅を有する２つの異なる通信システムのパラレルな実現を必要とする。
【０００６】
ＴＤＭＡタイプアクセスについては、この原理は、アップリンクとダウンリンクとの間で１つの同じ周波数チャネル上で時間を共有するというものである。非対称的なシステムの場合、より高いビットレートを要求するリンクに優先的に時間的な分割が行われる。データバースト時の分配は、フレームと呼ばれる構成の内部に構成可能であり、又はよりランダムに構成可能である。この場合、チャネルへのアクセスを規定するプロトコルは多数存在する。しかしながら、それらの何れもが、フレーム指向システムにより得られる効率性及びＱｏＳ（Ｑｕａｌｉｔｙ  ｏｆ  Ｓｅｒｖｉｃｅ）を保証することが可能でない。例えば、ＧＳＭネットワークはバースト的フレームシステムであるが、ＷｉＦｉタイプワイヤレスローカルエリアネットワークはランダムアクセスシステムであるということに留意されたい。
【０００７】
しかしながら、ＴＤＭＡタイプアクセスに対応するシステムは、信号の不連続性から生ずる大きな問題を提起する。実際に従来、各データバーストのスタート時において、受信機及びイコライザのＲＦステージのゲインレベルは、リセットされる必要がある。良好なシステム効率性を保証するため、このいわゆるロッキングオン（ｌｏｃｋｉｎｇ−ｏｎ）フェーズは、可能な限り短いものでなければならない。
【０００８】
図１に示されるように、データのバーストは、通常はプリアンブル（ｐｒｅａｍｂｌｅ）と呼ばれる１以上の特別なシンボルから始まる。ＩＥＥＥ８０２．１６規格はまた、ミドアンブル（ｍｉｄａｍｂｌｅ）のコンセプトを導入する。ミドアンブルは、プリアンブルと同様に、イコライザがリセットされ、ＡＧＣ（Ａｕｔｏｍａｔｉｃ  Ｇａｉｎ  Ｃｏｎｔｒｏｌ）ループが再調整されることを可能にするバースの中央に挿入される特別なシンボルである。最大量のデータがトランスポートされる必要がある方向に、フレームは、連続的に伝送される複数の隣接するバーストから構成される。データバーストが受信されている間、ＲＦ（Ｒａｄｉｏ  Ｆｒｅｑｕｅｎｃｙ）アンプのゲインは再調整されない。イコライザは、それのインパルスレスポンス（又は多重搬送変調の場合の周波数レスポンス）とそれの平均減衰の両方の点に関して、チャネルのトレンドを自ら追跡する。チャネルのレベルが急激に変化するリンクの場合、プリアンブルは、イコライザがそれの動作帯域に留まることを可能にするため、頻繁に繰り返される必要がある。しかしながら、頻繁に繰り返されるシステムは、システム全体のパフォーマンスを低下させるため、トレンドをリセットする。
【０００９】
双方向システムのケースにおいて、イコライザをリセットさせることのない連続的なリンクと、より良好に適したバースト的フレームリンクのものによる受信機のチューナステージのゲインとの効果を組み合わせる最もシンプルな方法は、フレームを２つの異なる長さのバーストに分割することであり、より長いものが映像データをトランスポートするのに使用され、より短いものが他方の方向にソースを制御するのに使用される。このとき、映像バーストは、必要な初期化を保証するため、それのスタート時においてプリアンブルのみを有する。その後、バースト中に、イコライザとＩＦ（Ｉｎｔｅｒｍｅｄｉａｔｅ  Ｆｒｅｑｕｅｎｃｙ）ステージのゲインが規則的に調整される。
【００１０】
しかしながら、当該方法は、使用の十分なフレキシビリティを与えるものではない。
【００１１】
ゲインの調整が２つの可変的ゲインステージを利用して行われる他のシステムが、ＵＳ２００３／００８３０３０に記載されている。図２は、当該システムの受信機のチューナステージの簡単化されたアーキテクチャを示す。入力信号ＩＮは、増幅のため可変ゲインＲＦアンプ１に印加され、その後、当該増幅信号は、結果として得られる中間周波数ＩＦ信号を取得するため、ミキサ２を開始決定されている周波数により基準信号ＲＥＦと合成される。当該ＩＦ信号は、フィルタ４によりフィルタリングされ、所望の出力信号ＯＵＴを形成するため、リニア可変ゲインＩＦアンプ３により再び増幅される。この信号は、その後に、当業者に既知であるような復調器に印加される。ＲＦ及びＩＦアンプのコントロール５と６は、制御回路が出力信号（図示せず）からＲＳＳＩ（Ｒｅｃｅｉｖｅｄ  Ｓｉｇｎａｌ  Ｓｔｒｅｎｇｔｈ  Ｉｎｄｉｃａｔｉｏｎ）を受信することによって与えられる。ＲＦアンプは、当該コントロールに応じて、いわゆる「低ゲイン」ポジション又は他のいわゆる「高ゲイン」ポジションにスイッチされる。当該文献は、ＲＦアンプを一方のポジションから他方のポジションにスイッチすることによって引き起こされる問題について記載していない。
【００１２】
入力信号の強さに従って２つのゲインＲＦとＩＦのレベル図を表す図３に示されるように、ＲＦステージは、高いダイナミックレンジを提供する一方、１０〜１５ｄＢのオーダーによる強い不連続性を提供する調整可能なゲインアンプから構成可能であり、ＩＦゲインは、連続的に調整することが可能である。これら２つのゲインコントロールを組み併せることによって、全体的なゲインが取得される。
【００１３】
しかしながら、ＲＦゲインが調整されるとき、信号は位相と振幅の両方について大きな一時的混乱を被る可能性がある。実際、調整の連続性を保証するため、ＲＦゲインを調整する際、ＩＦゲインの調整が必要となる。ＲＦ及びＩＦ可変ゲインは、大きな遅延を与える表面弾性波（ｓｕｒｆａｃｅ  ａｃｏｕｓｔｉｃ  ｗａｖｅ）フィルタの何れかの側に印加されるため、ＩＦゲイン制御前にＲＦコントロールを送信することによって、一時的現象を損なうことを回避することが理論的に可能である。実際、信号に対する一時的混乱を完全に回避することはできず、広範なダイナミックレンジが必要とされるここでの対象については、ノイズと線形性の観点から良好な特性を保証することは困難である。
【００１４】
さらに、これらの混乱は、復調器のイコライザに対して有害な効果を有し、それの同期と、伝送チャネルの効果を補償する能力を消失させる。これは、最終的には、復号された信号に対するビットエラーの出現を招くこととなる。
【特許文献１】ＵＳ２００３／００８３０３０
【特許文献２】ＥＰ０８５９４６２
【特許文献３】ＥＰ１３３５４９０
【特許文献４】ＵＳ３７４０４７１
【特許文献５】ＵＳ５５７５００３
【特許文献６】ＧＢ１１８８７５２
【発明の開示】
【発明が解決しようとする課題】
【００１５】
上記問題点を解消するため、本発明は、各バーストがプリアンブルとミッドアンブルと呼ばれるフレーム構成シンボルを有するバースト的データフレーム受信システムのＲＦ及びＩＦ増幅ステージのためのゲイン制御方法を提案する。
【課題を解決するための手段】
【００１６】
上記課題を解決するため、本発明は、各バーストがプリアンブル又はミッドアンブルと呼ばれる特別なフレーム構成シンボルを有するバースト的データフレーム受信システムのＲＦ及びＩＦ増幅ステージのためのゲイン制御方法であって、受信信号の強度を評価するステップに続いて、ゲインリカバリバンドは、前記ＲＦ増幅ステージのゲイン調整ステップが、フレーム構成シンボルを受信するまで、一時的に保留されることを可能にし、その間に、前記ＩＦ増幅ステージのゲイン調整ステップが、前記入力信号の強度に応じて全体ゲインを線形に維持しながら、ＲＦゲインのものと同時に行われることを特徴とする方法を提供する。
【００１７】
好ましくは、前記リカバリバンドの幅は、前記ＲＦゲインの調整を可能にする２つの特別なシンボルの間の前記信号の強度の可能なトレンドに対応する。
【００１８】
好ましくは、前記ＲＦアンプのゲインの変化に続いて、リセット表示が、前記受信システムの復調器のイコライザ要素に送信される。
【００１９】
さらに、本発明は、各バーストがプリアンブル又はミッドアンブルと呼ばれる特別なフレーム構成シンボルを有するバースト的データフレーム受信システムのアンプのＲＦ及びＩＦゲイン制御装置であって、当該装置は、ＲＦアンプのＲＦゲインの調整が、フレーム構成表示の受信ま一時的に保留されることを可能にするＲＦ及びＩＦゲインアンプ制御信号を生成する制御要素を有し、ゲインリカバリバンドにおいて、その間に、前記ＩＦゲイン調整ステップが、入力信号の強度に応じて全体ゲインを線形に維持しながら、ＲＦゲインのものとパラレルに行われることを特徴とする装置を提供する。
【００２０】
好ましくは、前記制御要素は、前記受信システムの復調器が、前記ＲＦゲインの変更に続いてリセットされることを可能にする信号を生成する。
【００２１】
好ましくは、前記制御要素は、前記２つのＲＦとＩＦアンプの間に配置されるフィルタリング要素によって導入される遅延に従って、前記ＲＦゲインアンプの制御に対して前記ＩＦゲインアンプの制御を一時的に保留する遅延要素を有する。
【００２２】
好ましくは、前記制御要素は、前記ＲＦゲインの調整が不要になると、前記ＩＦゲインアンプの制御をフィルタリングするための切り替え可能なフィルタを有する。
【００２３】
さらに、本発明は、各バーストが特別なフレーム構成シンボルを有する複数のアンテナを備えたバースト的データフレーム受信システムのＲＦ及びＩＦ増幅ステージのゲイン制御方法であって、前記ＲＦステージと前記ＩＦステージのゲインを調整するステップを有し、各アンテナに係る各受信サブシステムの受信信号の強度を評価するステップに続き、ゲインリカバリバンドは、フレーム構成表示の受信まで、各サブシステムのＲＦ増幅ゲインを調整するステップが一時的に保留されることを可能にし、その間に、対応するＩＦゲイン調整ステップが、各サブシステムに対して入力信号の強度に応じて線形に全体ゲインを維持しながら、ＲＦゲインのものと同時に行われることを特徴とする方法を提供する。
【００２４】
好ましくは、ＲＦゲインの変化を可能にする前記フレーム構成に関する表示は、プリアンブル又はミッドアンブルの存在に対応する。
【００２５】
好ましくは、前記受信サブシステムの１つのＲＦゲインは、現在のプリアンブルに対して変更され、その他の受信サブシステムの何れのＲＦゲイン調整も以降のプリアンブル中に行われる。
【００２６】
さらに、本発明は、各バーストがプリアンブル又はミッドアンブルと呼ばれる特別なフレーム構成シンボルを有する複数のアンテナを備えるバースト的データフレーム受信システムであって、前記アンテナに係る複数の受信サブシステムを有し、前記複数の受信サブシステムのＲＦゲインアンプ及びＩＦゲインアンプの制御装置は、ＩＦゲイン調整ステップが入力信号の強度に応じて線形に全体ゲインを維持しながら、ＲＦゲインのものとパラレルに行われるゲインリカバリバンドにおいて、フレーム構成表示が受信されるまで、受信サブシステムのＲＦアンプのゲインの調整が一時的に保留されることを可能にする前記ＲＦ及びＩＦゲインアンプに対する複数の制御信号を生成するシステムを提供する。
【００２７】
好ましくは、制御要素が、前記受信サブシステムの１つのＲＦゲインの変更に続いて、当該受信システムの復調器がリセットされることを可能にする信号を生成する。
【００２８】
好ましくは、前記復調器のリセットは、前記受信サブシステムの１つのＲＦゲインの変更に続いて、前記復調器の前記サブシステムのイコライザ要素において行われる。
【００２９】
好ましくは、前記復調器のリセットは、前記ＲＦゲインの変更に続いて、前記復調器の合成又は選択要素において行われる。
【発明の効果】
【００３０】
本方法によると、２つのゲイン制御を組み合わせることによって、良好なＲＦパフォーマンスレベルを維持しながら、要求される高ダイナミックレンジによる調整を取得することが可能となる。
【００３１】
さらに、本発明によると、等化及びＡＧＣに関してＴＤＭＡシステムの安定性及びロウバスト性を向上させることが可能になる。
【発明を実施するための最良の形態】
【００３２】
記載を簡単化するため、図面において同一の参照番号は、同一の機能を実現する要素を示すのに使用される。
【００３３】
図４は、本発明によるチューナステージの全体的ゲインの調整の原理を示す。
【００３４】
当該ステージのゲインの調整は、各々がチューナステージに送られる２つのゲイン制御（ＲＦ及びＩＦ）に分割される。ＩＦゲインは、実線によって示される。このゲインは、入力信号の強さの関数として線形に減少する。このＩＦゲインは、連続的システムにおいて受信される各シンボルに対して規則的に調整される。
【００３５】
ＲＦゲインは、破線によって示される。それは、エリアＩ、ＩＩ及びＩＩＩにおいて一定であり、それに後続するレベルにおいて変化する。ここで、当該ＲＦゲインの調整は、受信したシンボルがプリアンブル又はミッドアンブルである場合に限って可能とされる。当該シンボルがデータシンボルである場合、ＲＦゲインの調整は次のプリアンブル又はミッドアンブルまで戻される。
【００３６】
ＲＦゲインとＩＦゲインの和である全体ゲインは、入力信号の強さが増加するとき、それに線形的に減少する。これにより、出力において一定の強さの信号が存在することとなる。この図は、２つの異なるＲＦゲインとＩＦゲインの組み合わせにより同じ全体ゲインを取得することを可能にする、最小値Ｐ１と最大値Ｐ２によってデリミットされる信号強度リカバリバンドＰの存在を示す。閾値Ｐ１とＰ２の値は、例えば、それらが２つのプリアンブル又はミッドアンブルの間のデータのバーストの伝送中の入力信号の強度のトレンドに対応するように決定される。
【００３７】
これらの帯域は、それが必要とみなされる時点、すなわち、データシンボルの受信時と、当該調整が行われる際にプリアンブル又はミッドアンブルが受信される時点との間のゲインの調整を遅延させるのに利用可能である。ＲＦゲインの調整は、信号強度がリカバリバンドＰ１とＰ２の限界値の１つに到達したときトリガーされる。
【００３８】
入力信号の強度がその後に増加している場合、閾値Ｐ１において、ＲＦゲインの調整は必要とみなされる。Ｇ１からＧ２へのＲＦアンプのゲインの変化は、一時的混乱中にデータを消失しないようにするため、次にプリアンブル又はミッドアンブルのみに対して行うことが可能である。当該調整の決定が行われた時点と次のプリアンブル又はミッドアンブルとの間の時間に対応する時間遅延は、ＲＦゲインの調整が行われる前に経過するであろう。この時間中に、入力信号帯域はリカバリバンド内で変化し続け、おそらくＰ２に近い値に到達する。データのバーストのプリアンブル又はミッドアンブルにおいて、ＲＦアンプのゲインは、Ｇ１からＧ２にスイッチされることとなる。この結果、ＩＦゲインは、それの最大値に近い値にスイッチされることとなる。
【００３９】
入力信号強度が低下しているとき、信号強度がＰ２に到達すると、ゲイン調整がトリガーされ、このトリガーに続いてプリアンブル又はミッドアンブルに印加される。ＲＦアンプのゲインはＧ２からＧ１に変化し、ＩＦアンプのゲインはそれの最小値に近い値にスイッチする。
【００４０】
従って、このリカバリバンドは、当該調整が全体ゲインの線形性を混乱させることなく可能となる時点においてのみゲインを調整することを可能にする。このリカバリバンドの幅は、２つのプリアンブル又はミッドアンブルの間の信号強度のトレンドの関数として計算される。従って、２つのプリアンブル又はミッドアンブルの間の最大信号強度の変化量は、リカバリバンドの幅Ｐ２−Ｐ１に対応する。
【００４１】
それとパラレルに、互いのリカバリバンドは、対応する異なる入力信号強度限界値と異なるゲインレベルＧ２及びＧ３を有するであろう。ＲＦゲインの調整が必要であるとみなされた時点と、それが可能となる時点との間の遅延が可能となる。
【００４２】
図５は、本発明による装置の一実現形態を示す。本発明による受信サブシステムのステージが、この図により表される。ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）変調された受信信号は、チューナステージ４０の入力に適用される。この信号は、可変ゲインＲＦアンプ４１により増幅され、その後に、ＲＦ信号を中間周波数ＩＦ信号に変換するミキサ４２に印加される。その後、この信号は、表面弾性波ＳＡＷフィルタ４３によってフィルタリングされ、中間周波数において可変ゲインＩＦアンプ４４により再増幅される。これらのアンプは、制御要素（ドライバ）４６からのゲイン制御を有する。
【００４３】
チューナ要素４０から取得される増幅及びフィルタリングされたＩＦ信号は、復調のため、アナログデジタル変換器ＡＤＣ５１を介し復調器４５に印加される。チューナステージ４０のゲインに求められる調整レベルは、復調器４５により計算される。復調器の入力インタフェース（又はデジタルフロントエンド（ＤＦＥ））ステージ４５−１は、チューナステージからの信号の受信強度を評価することを可能にする。このデータは、新しく受信された各ＯＦＤＭ信号に対する制御要素４６に伝送される。
【００４４】
ＦＦＴ（高速フーリエ変換）復調ステージ４５−２は、当該信号を復調するのに使用される。
【００４５】
この信号は、その後、イコライザ４５−３により等化処理され、ドライバ要素４６によって発信される信号によって制御される。当業者に周知なデータ処理（ビット処理）回路４５−４が、所望の復調信号を発信するのに利用される。
【００４６】
新しい各シンボルに対して、入力信号強度の測定値が、チューナステージ４０に送信されたＲＦゲイン制御及びＩＦゲイン制御を生成するための制御要素４６に伝送される。
【００４７】
２つのケースが可能である。
・第１のケースでは、入力信号強度の測定値は、大部分のケースに対応するＲＦゲインの調整が不要であることを示すものであり、このため、ＩＦステージのゲインのみが受信したシンボルのタイプ（データ又はプリアンブル）に関係なく、連続的システムと同様に規則的に受信される各シンボルに対して調整される。ＩＦゲイン制御は、復調器の入力に存在する信号の強度レベルに対する強すぎる不連続性を回避するため、フィルタ４８によりフィルタリングされる。このようなレベル不連続性はまた、イコライザを混乱させる可能性がある。従って、チューナ要素のセレクタ５０が「フィルタ」ポジションに配置される。その後、フィルタリング及び選択された信号は、ＩＦアンプ４４の制御としてデジタルアナログ変換器（ＤＡＣ）５２を介し印加される。
【００４８】
その後、イコライザ４５−３は、例えば、ＬＭＳ（Ｌｅａｓｔ  Ｍｅａｎ  Ｓｑｕａｒｅｓ）アルゴリズムなどを利用することによって、当業者に周知な方法により更新される。プリアンブルの場合には、この更新は、イコライザにより大きなロウバストネスを提供する特定のパラメータにより実行することが可能である。
・第２のケースでは、測定された信号入力強度は、閾値Ｐ１とＰ２との間にあり、これにより、ＲＦゲインの調整が必要となるが、これは受信したシンボルがプリアンブル又はミッドアンブルの場合に限って可能とされる。従って、フレーム表示は、制御要素４６に伝送され、プリアンブル又はミッドアンブルの存在を待機することを可能にする。
【００４９】
プリアンブル又はミッドアンブルがない場合、すなわち、当該調整がデータシンボルの受信を介しリクエストされる場合、ＲＦゲインのみが上述されたように変更され、ＲＦゲインの調整は次のプリアンブル又はミッドアンブルまで戻される。これは、リカバリバンドＰにより可能とされる。
【００５０】
プリアンブル又はミッドアンブルが存在する場合、ＲＦゲイン調整制御が制御要素により発信される。これとパラレルに、ＩＦゲイン調整制御がゲイン生成装置４７により発信される。チューナ要素のセレクタ５０は、第２ポジションにスイッチする。遅延要素４９は、２つのアンプ間に挿入される表面弾性波ＳＡＷフィルタの遅延に対応する時間Ｔだけ、ＩＦゲイン調整制御を一時的に保留するのに利用可能である。当該信号に対する潜在的な一時的混乱は、最大まで補償される。
【００５１】
さらに、この二重の調整は、プリアンブルが受信されるときに限って実行することが可能であり、このため、イコライザは単に更新されるのでなく、完全にリセットされる。
【００５２】
受信信号の強度がほとんど変化せず、ＲＦゲインの変更が必要とされるエリアにある場合、周知のヒステリシス（ｈｙｓｔｅｒｅｓｉｓ）機構を適用することによって、これらの変更を限定することが可能である。
【００５３】
ＲＦゲインを調整するのに復号化された信号上のビットエラーの出現を回避するため、イコライザの多くのポイントレスリセット（ｐｏｉｎｔｌｅｓｓ  ｒｅｓｅｔ）を回避し、それを利用することによって、イコライザを更新し、ＲＦステージのゲインを調整する当該方法は、復調器の安定性及びロウバスト性を向上させ、受信信号に対するビットエラーレシオに関するそれの全体的なパフォーマンスレベルを大きく向上させることを可能にする。
【００５４】
図６は、複数のアンテナによる受信に関する本発明の一実現形態を表す。
【００５５】
本発明はまた、例えば、ＭＲＣ（Ｍａｘｉｍｕｍ  Ｒａｔｉｏ  Ｃｏｍｂｉｎｉｎｇ）タイプの組み合わせ又は選択によって、複数のアンテナによる受信のケースに拡張することが可能である。図６において、第３番目のＭＲＣタイプの組み合わせによる受信のための本発明の実現形態が示される。明らかに、それは、２や３より大きな数の異なるオーダーのＭＲＣについても実現可能である。各々がチューナ要素Ｔと、アナログデジタル変換器ＡＤＣ回路と、復調器１４１の一部となる要素であるデジタルフロントエンド要素ＤＦＥ、ＦＦＴ復調要素及びイコライザＥとから構成される３つの独立した受信チャネル＃１、＃２及び＃３が存在することが確認できる。受信を最適化するため異なる受信チャネルを組み合わせるＭＲＣ要素とデータ処理回路は、もちろん、これらの受信チャネルに共通している。チャネル＃１、＃２及び＃３の各インタフェース要素ＤＦＥは、図４及び５を用いて説明された方法により、３つのチューナのＲＦアンプとＩＦアンプの制御をそれぞれ管理する制御回路（ドライバ）１４６にセットポイントを送信し、受信チャネルの１つのＲＦゲインの変更がリセットを実行するため実現されるとき、ＭＲＣ要素又は関係するイコライザの何れかに通知する。
【００５６】
ＩＦ及びＲＦゲインのリカバリバンドでは（図３を参照されたい）、システムのパフォーマンスレベルは、例えば、現在プリアンブル又はミッドアンブルの時点では一度に１つのＲＦゲイン変更しか可能としないことによって最適化される。他方の調整は、以降のプリアンブル又はミッドアンブルの時点に行われる。制御回路１４６はまた、連続したこれらの調整を管理する。
【００５７】
図７は、アンプの調整順序の優先順位がＩＦゲインの値の関数として与えられる動作モードの一例を示す図である。実際には、ゲイン生成ブロック（図５を参照されたい）が複数のＲＦゲインを変更する必要がある場合、そのうちの１つしか現在のプリアンブルに対しては変更されない。ＲＦゲインを変更する順序は、例えば、ＩＦゲインの値の関数として決定することができる。それの動作帯域の限界に最も近いＩＦゲインに係るＲＦゲインが最初に変更される。ＲＦゲインの変更の他の優先順位も可能である。アンプの入力信号の強度は、例えば、ある優先順位をもたらす可能性がある。この図は、経時的なデータのトレンドに従うチャネル＃１、＃２及び＃３の入力信号強度を表す。垂直のラインは、バースト的なデータフレームにおけるプリアンブル又はミッドアンブルの存在を示す。信号強度の限界Ｐ１及びＰ２は、リカバリバンドをデリミットする。チャネル＃２の信号強度のトレンドは、プリアンブル４に対するＲＦアンプのゲインの変化を示すことを可能にし、当該信号強度は、データがこのプリアンブルに先行している間に閾値Ｐ１に到達している。チャネル＃１とチャネル＃３のＲＦゲインの変化は、プリアンブル５に対するＲＦアンプのゲインの変化を示すことを可能にする。従って、これらの変化は同時に実行されるべきであるが、ゲインの同時的な変化が混乱を引き起こすことを回避するため、チャネル＃３の変化は遅延される。それの動作帯域の限界に最も近いＩＦゲインに係るＲＦゲインがまず変更される。チャネル＃３のＲＦゲインの変更は遅延され、プリアンブル６と共に行われる。従って、システムのパフォーマンスレベルは最適化される。
【００５８】
関係するチャネルのイコライザは、当該チャネルのＲＦゲインの変化に続いて、自動的にリセットされる。
【００５９】
一変形は、関係するイコライザからのデータを一時的に無視するための表示をＭＲＣ合成ブロックに送信することに関するものであり、それは、イコライザレベルでの関係するアルゴリズムを若干簡単化することが可能である。
【図面の簡単な説明】
【００６０】
【図１】図１は、従来技術によるバースト的データフレームの構成を示す。
【図２】図２は、従来技術によるシステムの受信機のチューナステージの簡単化された構成を示す。
【図３】図３は、従来技術によるチューナステージの全体ゲインの調整原理を表す図である。
【図４】図４は、本発明によるチューナステージの全体ゲインの調整原理を表す図である。
【図５】図５は、本発明によるシステムの一実現形態を示す。
【図６】図６は、複数のアンテナにより受信する本発明による他の実現形態を示す。
【図７】図７は、複数のアンテナによる受信のケースにおける各種調整の動作モードを表す図である。
【符号の説明】
【００６１】
１、４１  ＲＦアンプ
２、４２  ミキサ
３、４４  ＩＦアンプ
４、４８  フィルタ
４０  チューナステージ
４３  表面弾性波（ＳＡＷ）フィルタ
４５  イコライザ
４６  制御要素（ドライバ）
５０  セレクタ
【図１】
2007181204.tif 000003
【図２】
2007181204.tif 000004
【図３】
2007181204.tif 000005
【図４】
2007181204.tif 000006
【図５】
2007181204.tif 000007
【図６】
2007181204.tif 000008
【図７】
2007181204.tif 000009